(57)【要約】【課題】従来の前面にフィルターのある構成では空気フィルターが目詰まりした場合、流量低下が発生したり、吸入側が負圧になり旋回スルロールが負圧で吸い上げられ、固定スクロールと接触を起し凝着を起し停止する可能性があり、フィルター箱の内部にフィルターが設置されている構成では、フィルターが内部にあるため空気フィルターの定期的な交換が大変であった。また、大きな容積のフィルターになっている課題があった。【解決手段】フィルター箱１の内部に段付部を設けフィルター箱１の前面に第１のフィルター２と後方の段付部に第２のフィルター４を設置し、第１、第２のフィルター２，４の空間に貫通した小孔６をフィルター箱１の胴部に設けたことにより、前面の第１のフィルター２が目詰まりしても小孔６より空気を吸入できるためスクロール流体機械の閉塞運転することを回避することができる。【選択図】図１
2008267142.tif 000002
【特許請求の範囲】
【請求項１】
鏡板にラップ部が立設された旋回スクロールと、その旋回スクロールに対向して前記固定フレームの他端側に設けられて鏡板にその旋回スクロールのラップ部との間で複数の圧縮室を形成するラップが立設された固定スクロールとを備えてなるスクロール式流体機械とし、前記スクロール流体機械の吸入口とフィルター箱をホースで接続し、前記フィルター箱の内部に段付部を設け前記フィルター箱の前面に第１のフィルターと後方の前記段付部に第２のフィルターを設置し、前記第一のフィルターと前記第２のフィルターの空間に貫通した小孔を前記フィルター箱の胴部に設けたことを特徴とするスクロール式流体機械のフィルター装置。
【請求項２】
フィルター箱の前面からの流量と小孔からの流量の比が３：１以上になるように小孔の大きさを設定したことを特徴とする請求項１に記載のスクロール式流体機械のフィルター装置。
【請求項３】
鏡板にラップ部が立設された旋回スクロールと、その旋回スクロールに対向して前記固定フレームの他端側に設けられて鏡板にその旋回スクロールのラップ部との間で複数の圧縮室を形成するラップが立設された固定スクロールとを備えてなるスクロール式流体機械とし、前記スクロール流体機械の吸入口とフィルター箱をホースで接続し、前記フィルター箱の内部に段付部を設け前記フィルター箱の前面と前記段付部にそれぞれ空気フィルターを設置し、前記フィルター箱の前面のフィルターの目の粗さを前記段付部間のフィルターの目の粗さよりも大きくしたことを特徴とするスクロール式流体機械のフィルター装置。
【請求項４】
鏡板にラップ部が立設された旋回スクロールと、その旋回スクロールに対向して前記固定フレームの他端側に設けられて鏡板にその旋回スクロールのラップ部との間で複数の圧縮室を形成するラップが立設された固定スクロールとを備えてなるスクロール式流体機械とし、前記スクロール流体機械の吸入口とフィルター箱をホースで接続し、前記フィルター箱の内部に段付部を設け前記フィルター箱の前面と前記段付部にそれぞれ空気フィルターを設置し、前記段付部に２枚のフィルターを設置したことを特徴とするスクロール式流体機械のフィルター装置。
【発明の詳細な説明】
【技術分野】
【０００１】
本発明は、流体の圧縮、膨張および圧送を行なうスクロール式流体機械、特に固定スクロールに対して、旋回スクロールの回転阻止機構を有したスクロール式流体機械のフィルター装置に関する。
【背景技術】
【０００２】
従来のこの種のスクロール式流体機械には、フィルター箱の前面にフィルターを設置した単純な構造の物や、本体の吸入室に直接エアーフィルターを内臓したフィルター箱を設置したフィルター装置等がある（例えば、特許文献１参照）。
【０００３】
図４は、単純な構成の従来のスクロール式流体機械のフィルター装置の詳細を示すものである。図４に示すようにスクロール式流体機械４１の空気吸入口４２にホース４３によりフィルター箱４４が接続され、前記フィルター箱４４の前面に空気フィルター４５が押え板４６によりボルト等の締結材で取り付けられている。
【０００４】
図５は、特許文献１に記載された従来のスクロール式流体機械のフィルター装置の詳細を示すものである。図５に示すようにスクロール式流体機械５１の空気吸入口５２にフィルター箱５３が接続され、前記フィルター箱５３の内部に空気フィルター５５が取り付けられている。
【特許文献１】実開平１−９３３８９号公報（図２）
【発明の開示】
【発明が解決しようとする課題】
【０００５】
しかしながら、前記従来の単純な前面にフィルターのある構成では空気フィルターが目詰まりした場合、流量低下を起こしたりさらに目詰まりが進行すると吸入側が負圧になり旋回スルロールが負圧で吸い上げられ、固定スクロールと接触を起し凝着を起し停止してしまう可能性があった。また、フィルター箱の内部にフィルターが設置されている構成では、フィルターの面積はある程度確保されるが、フィルターが内部にあるため空気フィルターの定期的な交換が大変であった。また、大きな容積のフィルターになっていた。
【０００６】
本発明は、従来技術の有するこのような問題点に鑑みてなされたものであり、目詰まりを起しにくく、かつコンパクトで安価なフィルター構成を有するスクロール式流体機械のフィルター装置を得ることを目的としている。
【課題を解決するための手段】
【０００７】
上記目的を達成するために、本発明のうちで請求項１に記載の発明は、前記スクロール流体機械の吸入口とフィルター箱をホースで接続し、前記フィルター箱の内部に段付部を設け前記フィルター箱の前面に第一のフィルターと後方の前記段付部に第２のフィルターを設置し、前記第１のフィルターと前記第２のフィルターの空間に貫通した小孔を前記フィルター箱の胴部に設けたことを特徴とする。
【０００８】
このことにより、前面の第１のフィルターが目詰まりしても前記小孔より空気を吸入できるためスクロール流体機械の閉塞運転を回避することができる。
【発明の効果】
【０００９】
本発明のスクロール式流体機械のフィルター装置は、簡単な構成でフィルターの目詰まりによるスクロール流体機械の閉塞運転を回避することができ、また、主に定期的に前面
の第１のフィルターだけを交換すれば良いので簡単に補修ができる。
【発明を実施するための最良の形態】
【００１０】
第１の発明は前記スクロール流体機械の吸入口とフィルター箱をホースで接続し、前記フィルター箱の内部に段付部を設け前記フィルター箱の前面に第１のフィルターと後方の前記段付部に第２のフィルターを設置し、前記第１のフィルターと前記第２のフィルターの空間に貫通した小孔を前記フィルター箱の胴部に設けたことにより前面のフィルターが目詰まりしても前記小孔より空気を吸入できるためスクロール流体機械の閉塞運転になりにくい構成になっている。
【００１１】
第２の発明は特に、第１の発明の前記フィルター箱の前面からの流量と小孔からの流量の比が３：１以上になるように小孔の大きさを設定したことにより、前面の第１のフィルターにほとんどのごみやほこりが捕獲されるため、後部の段付部の第２のフィルターの目詰まりを抑えることができる。
【００１２】
第３の発明は前記フィルター箱の内部に段付部を設け前記フィルター箱の前面と前記段付部にそれぞれ空気フィルターを設置し、前記フィルター箱の前面の第１のフィルターの目の粗さを前記段付部間の第２のフィルターの目の粗さよりも大きくしたことにより目詰まりを起こしやすい粗いゴミ等を前面の第１のフィルターで捕獲し、細かいほこり等を後方の第２のフィルターで捕獲する構成になっているため目詰まりを起こしにくい構成となっている。
【００１３】
第４の発明は前記フィルター箱の内部に段付部を設け前記フィルター箱の前面と前記段付部にそれぞれ空気フィルターを設置し、前記段付部に２枚のフィルターを設置したことにより同一の仕様のフィルターを使用できるため容易に安価に製造することができる。
【００１４】
以下、本発明の実施の形態について、図面を参照しながら説明する。
【００１５】
（実施の形態１）
図１は、本発明の第１の実施の形態にかかるスクロール式流体機械のフィルター装置における要部縦断面図を示している。
【００１６】
図１に示されるように、フィルター箱１の前面に第１のフィルター２が前面押え板３でボルト等で固定されている。また、フィルター箱１の内部に段付部を設け第２のフィルター４が段付部押え板６でボルト等で固定されている。第１のフィルター２と第２のフィルター４の空間を内貫通する小孔６をフィルター箱１の胴部に設けている。また、前面の第１のフィルター２より吸入される流量Ｑ１と小孔６より吸入される流量Ｑ２の比は３：１以上になるように小孔６の大きさが設定されている。
【００１７】
以上のように構成されたフィルター箱について、以下その動作、作用を説明する。
【００１８】
まず、スクロール式流体機械に吸入される空気は前面の第１のフィルター２を通過して主に吸入される。また前面の第１フィルター２が目詰まりを起こした場合には小孔６より空気が吸入されるためスクロール流体機械の閉塞運転を回避することができる。
【００１９】
以上のように、本実施の形態においてはスクロール流体機械の吸入口とフィルター箱をホースで接続し、前記スクロール流体機械の吸入口とフィルター箱をホースで接続し、前記フィルター箱の内部に段付部を設け前記フィルター箱の前面に第一のフィルターと後方の前記段付部に第２のフィルターを設置し、前記第１のフィルターと前記第２のフィルターの空間に貫通した小孔を前記フィルター箱の胴部に設けた構成であるため、第１のフィ
ルターが目詰まりを起こしても小孔より空気を吸入することができるためスクロール流体機械の閉塞運転を回避することができる。また、フィルターの定期交換も前面の第１フィルターを主に交換するだけで済むため、容易に簡単に交換が可能である。
【００２０】
（実施の形態２）
図２は、本発明の第２の実施の形態にかかるスクロール式流体機械のフィルター装置における要部縦断面図を示している。
【００２１】
図２に示されるように前面に第１のフィルター２また後方の段付部に第２のフィルターが設置されている。第１のフィルターの目の粗さは第２のフィルターの目の粗さよりも大きく設定されている。目詰まりの起こしやすい大きなゴミを第１のフィルターで除去できるため第２のフィルターの目詰まりが緩和されスクロール式流体機械の閉塞運転を回避できる。
【００２２】
（実施の形態３）
図３は、本発明の第３の実施の形態にかかるスクロール式流体機械のフィルター装置における要部縦断面図を示している。
【００２３】
図３に示されるように後方の第２のフィルターには同一仕様の２枚のフィルター４，７が設置されている。また、前面の第１のフィルター２とも同一仕様で構成されている。
【００２４】
同一の仕様のフィルターで構成できるため、安価に製造することができる。
【産業上の利用可能性】
【００２５】
上述したように、本発明にかかるスクロール式流体機械のフィルター装置は、簡単な構成で閉塞運転を回避できるため流体送風機、空気圧縮の用途にも適用できる。
【図面の簡単な説明】
【００２６】
【図１】本発明の実施の形態１にかかるスクロール式流体機械のフィルター装置における要部縦断面図
【図２】本発明の実施の形態２にかかるスクロール式流体機械のフィルター装置における要部縦断面図
【図３】本発明の実施の形態３にかかるスクロール式流体機械のフィルター装置における要部縦断面図
【図４】従来のスクロール式流体機械のフィルター装置における要部縦断面図
【図５】従来のスクロール式流体機械のフィルター装置における要部縦断面図
【符号の説明】
【００２７】
１  フィルター箱
２  第１のフィルター
３  前面押え板
４  第２のフィルター
５  段付部押え板
６  小孔
７  フィルター
【図１】
2008267142.tif 000003
【図２】
2008267142.tif 000004
【図３】
2008267142.tif 000005
【図４】
2008267142.tif 000006
【図５】
2008267142.tif 000007